(57)【特許請求の範囲】
【請求項１】
靴底のスパイク取付け位置相当箇所に貫通形成された取付け孔に対して、それの開口周縁部分に接当可能な当り部にネジ軸の一端を連設してある雄ネジ部材が、靴底の内面側から装着され、この雄ネジ部材のネジ軸に螺合自在なネジ孔が形成され、かつ、靴底の外面との間でスパイクを挾持固定するための押え部を備えた雌ネジ部材が、雄ネジ部材のネジ軸に対して靴底の外面側から螺合固定されているとともに、前記雌ネジ部材には、靴底の取付け孔に嵌入する嵌合部が形成されている運動靴のスパイク取付け構造であって、
前記雄ネジ部材には、靴底の取付け孔に嵌合可能で、かつ、その先端側ほど取付け孔の内径よりも大径となるテーパー状の嵌合部が形成されている運動靴のスパイク取付け構造。
【請求項２】
靴底のスパイク取付け位置相当箇所に貫通形成された取付け孔に対して、それの開口周縁部分に接当可能な当り部にネジ軸の一端を連設してある雄ネジ部材が、靴底の内面側から装着され、この雄ネジ部材のネジ軸に螺合自在なネジ孔が形成され、かつ、靴底の外面との間でスパイクを挾持固定するための押え部を備えた雌ネジ部材が、雄ネジ部材のネジ軸に対して靴底の外面側から螺合固定されているとともに、前記雌ネジ部材には、靴底の取付け孔に嵌入する嵌合部が形成されている運動靴のスパイク取付け構造であって、
前記雄ネジ部材の当り部には、靴底の取付け孔の開口周縁部分に対してネジ軸芯方向から突刺し可能な回り止め突起が突出形成されているとともに、少なくとも一部の回り止め突起には、ネジ軸芯方向に対して交差方向に突出する抜止め部が形成されている運動靴のスパイク取付け構造。
【請求項３】
前記回り止め突起が中空状に打出し形成されているとともに、その打出し形成に伴う回り止め突起の先端側での破断によって抜止め部が形成されている請求項２記載の運動靴のスパイク取付け構造。
【発明の詳細な説明】
【０００１】
【発明の属する技術分野】
本発明は、野球靴等の運動靴のスパイク取付け構造に関する。
【０００２】
【従来の技術】
従来の運動靴のスパイク取付け構造では、図１０に示すように、靴底１のスパイクＢ取付け位置相当箇所に貫通形成された取付け孔８に対して、それの開口周縁部分に接当可能な鍔状の当り部５０Ａと、それの中心位置に取付け孔８の軸線方向に沿って貫通するネジ孔５０Ｂを備えたネジ筒部５０Ｃとを一体形成してある雌ネジ部材５０が、ネジ筒部５０Ｃを取付け孔８内に嵌入させる状態で靴底１の内面１ａ側から装着するとともに、雌ネジ部材５０のネジ孔５０Ｂに螺合自在なネジ軸５１Ａと、靴底１の踏付け面（外面）１ｂとの間でスパイクＢを挾持固定するための押え面５１ａを備えた回転操作用の六角柱状の頭部５１Ｂとを一体形成してある雄ネジ部材５１が、雌ネジ部材５０のネジ孔５０Ｂに対して靴底１の踏付け面１ｂ側から螺合固定され、更に、靴底１に対する雌ネジ部材５０の埋設代、換言すれば、当り部５０Ａとネジ筒部５０Ｃとを合わせた全長が、靴底１の厚みと同一寸法に構成されていて、靴底１に装着されたネジ筒部５０Ｃの先端面５０ａと靴底１の踏付け面１ｂとが面一になるように構成されていた（例えば、実開平７−１０７号公報、実開平７−３９５０５号公報）
【０００３】
【発明が解決しようとする課題】
従来の運動靴のスパイク取付け構造では、雄ネジ部材５１と雌ネジ部材５０との螺合操作でスパイクＢを靴底１に締め付け固定するため、スパイクＢの取替えや形状修正のための脱着操作を購入者自身で容易に行なうことができるものの、靴底１に装着されたネジ筒部５０Ｃの先端面５０ａが靴底１の踏付け面１ｂと面一状態にあって、このネジ筒部５０Ｃの先端面５０ａにスパイクＢの上面が直接接当し、かつ、雌ネジ部材５０の当り部５０Ａが靴底１の内面１ａに接当して靴内側に移動可能であるため、靴底１の内面１ａとの間に中底等が介在されている状態でも、スパイクＢに加わる衝撃力が突き上げ感として装着者の足裏に伝播され易い。
【０００４】
しかも、金属製のスパイクＢを介在した状態での雄ネジ部材５１と雌ネジ部材５０との金属的な締付け力であるため、雌ネジ部材５０に螺合された雄ネジ部材５１が使用時の振動等で弛み易く、その都度、雄ネジ部材５１を締め直し操作する必要がある。
【０００５】
本発明は、上述の実状に鑑みて為されたものであって、その主たる課題は、雄ネジ部材と雌ネジ部材との合理的な改造をもって、スパイクに加わる衝撃力が突き上げ感として装着者の足裏に伝播されることを抑制することができ、しかも、ネジの締め直し操作に要する手間も削減することのできる運動靴のスパイク取付け構造を提供する点にある。
【０００６】
【課題を解決するための手段】
本発明の請求項１による運動靴のスパイク取付け構造の特徴構成は、靴底のスパイク取付け位置相当箇所に貫通形成された取付け孔に対して、それの開口周縁部分に接当可能な当り部にネジ軸の一端を連設してある雄ネジ部材が、靴底の内面側から装着され、この雄ネジ部材のネジ軸に螺合自在なネジ孔が形成され、かつ、靴底の外面との間でスパイクを挾持固定するための押え部を備えた雌ネジ部材が、雄ネジ部材のネジ軸に対して靴底の外面側から螺合固定されているとともに、前記雌ネジ部材には、靴底の取付け孔に嵌入する嵌合部が形成されている運動靴のスパイク取付け構造であって、
前記雄ネジ部材には、靴底の取付け孔に嵌合可能で、かつ、その先端側ほど取付け孔の内径よりも大径となるテーパー状の嵌合部が形成されている点にある。
【０００７】
上記特徴構成によれば、靴底の取付け孔に内面側から装着された雄ネジ部材のネジ軸に対して、靴底の取付け孔に外面側から装着された雌ネジ部材のネジ孔を締付け側に螺合操作すると、その締付け操作に連れて、雄ネジ部材の当り部と雌ネジ部材の押え部との間で、スパイクを介して靴底が挾持されるから、挾持状態においても、装着者の荷重が加わっている雄ネジ部材及び雌ネジ部材に対して、スパイクが靴底を圧縮する側に相対移動することが可能となり、スパイクに加わる衝撃力を靴底で緩衝することができる。
【０００８】
しかも、靴底の弾性復元力が螺合された両ネジ部材に引張力として作用するとともに、両ネジ部材の螺合操作に連れて、雌ネジ部材に形成された嵌合部が靴底の取付け孔に嵌入して、この嵌筒部の外周面と取付け孔の内周面との間で摩擦力が発生するため、螺合された両ネジ部材の弛み側への相対回動を抑制することができる。
さらに、両ネジ部材の螺合操作に連れて、雄ネジ部材に形成された嵌合部が靴底の取付け孔に嵌入し、嵌合部の外周面と取付け孔の内周面とが密着するとともに、嵌合部がその先端側ほど取付け孔の内径よりも大径となるテーパー状に形成されているから、靴底に対する雄ネジ部材の靴内側への相対抜出し移動を抑制することができる。
【０００９】
従って、両ネジ部材の配置及び形状を上述の如く工夫するだけの安価な改造でありながら、靴底の緩衝機能を有効利用して、スパイクに加わる衝撃力が突き上げ感として装着者の足裏に伝播されることを抑制することができるとともに、靴底の弾性復元力及び靴底との間での摩擦力を利用して、ネジの弛みを効果的に抑制することができ、締め直し操作に要する手間を削減することができる。
【００１２】
本発明の請求項２による運動靴のスパイク取付け構造の特徴構成は、靴底のスパイク取付け位置相当箇所に貫通形成された取付け孔に対して、それの開口周縁部分に接当可能な当り部にネジ軸の一端を連設してある雄ネジ部材が、靴底の内面側から装着され、この雄ネジ部材のネジ軸に螺合自在なネジ孔が形成され、かつ、靴底の外面との間でスパイクを挾持固定するための押え部を備えた雌ネジ部材が、雄ネジ部材のネジ軸に対して靴底の外面側から螺合固定されているとともに、前記雌ネジ部材には、靴底の取付け孔に嵌入する嵌合部が形成されている運動靴のスパイク取付け構造であって、
前記雄ネジ部材の当り部に、靴底の取付け孔の開口周縁部分に対してネジ軸芯方向から突刺し可能な複数の回り止め突起が突出形成されているとともに、少なくとも一部の回り止め突起には、ネジ軸芯方向に対して交差方向に突出する抜止め部が形成されている点にある。
【００１３】
上記特徴構成によれば、靴底の取付け孔に内面側から装着された雄ネジ部材のネジ軸に対して、靴底の取付け孔に外面側から装着された雌ネジ部材のネジ孔を締付け側に螺合操作すると、その締付け操作に連れて、雄ネジ部材の当り部と雌ネジ部材の押え部との間で、スパイクを介して靴底が挾持されるから、挾持状態においても、装着者の荷重が加わっている雄ネジ部材及び雌ネジ部材に対して、スパイクが靴底を圧縮する側に相対移動することが可能となり、スパイクに加わる衝撃力を靴底で緩衝することができる。
しかも、靴底の弾性復元力が螺合された両ネジ部材に引張力として作用するとともに、両ネジ部材の螺合操作に連れて、雌ネジ部材に形成された嵌合部が靴底の取付け孔に嵌入して、この嵌筒部の外周面と取付け孔の内周面との間で摩擦力が発生するため、螺合された両ネジ部材の弛み側への相対回動を抑制することができる。
さらに、靴底の取付け孔に内面側から装着された雄ネジ部材のネジ軸に対して、靴底の取付け孔に外面側から装着された雌ネジ部材のネジ孔を締付け側に螺合操作すると、その締付け操作に連れて、当り部に突出形成されている複数の回り止め突起が、靴底の取付け孔の開口周縁部分に対してネジ軸芯方向から所定深さまで突き刺され、雄ネジ部材の供回りを防止することができ、しかも、少なくとも一部の回り止め突起には、ネジ軸芯方向に対して交差方向に突出する抜止め部が形成されているので、靴底に対する雄ネジ部材の靴内側への相対抜出し移動を抑制することができる。
従って、両ネジ部材の配置及び形状を上述の如く工夫するだけの安価な改造でありながら、靴底の緩衝機能を有効利用して、スパイクに加わる衝撃力が突き上げ感として装着者の足裏に伝播されることを抑制することができるとともに、靴底の弾性復元力及び靴底との間での摩擦力を利用して、ネジの弛みを効果的に抑制することができ、締め直し操作に要する手間を削減することができる。
【００１４】
本発明の請求項３による運動靴のスパイク取付け構造の特徴構成は、前記回り止め突起が中空状に打出し形成されているとともに、その打出し形成に伴う回り止め突起の先端側での破断によって抜止め部が形成されている点にある。
【００１５】
上記特徴構成によれば、雄ネジ部材の当り部に対する打出し加工で回り止め突起と抜止め部とを同時に形成することができるから、少なくとも一部の回り止め突起に形成された抜止め部により、靴底に対する雄ネジ部材の靴内側への相対抜出し移動を抑制しながらも、雄ネジ部材の製造コストの低廉化を図ることができる。
【００１６】
また、前記雌ネジ部材の回転操作部が、ネジ軸芯方向視において六角形以外の多角形に形成されていてもよい。
【００１７】
上記構成によれば、一般に用いられる６角形用の繁用工具は使用できず、専用の工具が必要となるため、過剰な締付け操作に起因するネジの破損を抑制することができる。
【００１８】
また、前記雄ネジ部材に、靴底の内面側から工具で回り止め操作可能な操作凹部が形成されていてもよい。
【００１９】
上記構成によれば、靴底の取付け孔に対して内面側から回り止め状態で装着された雄ネジ部材の回り止め機能が長期使用に連れて低下しても、雄ネジ部材に形成された操作凹部に対して内面側から係合操作することにより、雄ネジ部材を回り止め状態に維持することができるから、スパイクの取替えや形状修正のための脱着操作を購入者自身で確実、容易に行なうことができる。
【００２０】
【発明の実施の形態】
〔第１実施形態〕
図１、図２は、運動靴の一例である野球用スパイクシューズＡのスパイク取付け構造を示し、靴底１の踏付け面（外面）１ｂには、スパイクＢを構成する三つの部材で、足の指の付け根に沿う靴底１の屈曲ラインＸの爪先側に配置される爪先座板３と、屈曲ラインＸの土踏まず側に配置される中間座板４と、踵側に配置される踵座板５の各々が、金属製の雄ネジ部材６と金属製の雌ネジ部材７とを介して締付け固定されている。
【００２１】
前記爪先座板３には、靴中心線Ｙの内側に位置する一つの突片３Ａと、靴中心線Ｙの外側に置する二つの突片３Ｂ，３Ｃと、それらよりも爪先側位置において靴中心線Ｙと交差する一つの突片３Ｄとが折曲げ形成されているとともに、中間座板４には、靴中心線Ｙの内側に位置する一つの突片４Ａと、靴中心線Ｙの外側に置する一つの突片４Ｂとが折曲げ形成され、更に、踵座板５には、靴中心線Ｙの内側に位置する二つの突片５Ａ，５Ｂと、靴中心線Ｙの外側に置する二つの突片５Ｃ，５Ｄとが折曲げ形成されている。
【００２２】
前記靴底１は、天然皮革やポリウレタン樹脂等で製作された耐摩耗性及び可撓性を有する外底（アウトソール）１Ａの上面に、高分子発泡体の一例であるエチレンビニルアセテート共重合体（ＥＶＡ）で成形された下底（ミッドソール）１Ｂが積層接着されているとともに、この下底１Ｂの上面には、天然皮革や合成皮革、織布、不織布等で製作された胛被部（アッパー）２の一部と、天然皮革や合成皮革不織布等で製作された中底１Ｃとが積層接着され、更に、このように構成された靴底１の内面（上面）１ａに、クッション性に優れた材料で製作された中敷き９が脱着自在に設けられている。
【００２３】
そして、図３、図４に示すように、靴底１のスパイク取付け位置相当箇所に貫通形成された取付け孔８に対して、それの開口周縁部分に接当可能な鍔状の当り部６Ａにネジ軸６Ｂの一端を連設してある雄ネジ部材６が、靴底１の内面１ａ側から装着され、この雄ネジ部材６のネジ軸６Ｂに螺合自在なネジ孔７Ａが貫通形成され、かつ、靴底１の踏付け面（外面）１ｂとの間でスパイクＢの各座板３〜５を挾持固定するための押え部である円環状の押え面７ａを備えた雌ネジ部材７が、雄ネジ部材６のネジ軸６Ｂに対して靴底１の踏付け面１ｂ側から螺合固定されている。
【００２４】
前記雄ネジ部材６の当り部６Ａとネジ軸６Ｂとの間には、靴底１の取付け孔８に対して内面１ａ側からネジ軸芯Ｚ方向に沿って嵌合可能で、かつ、ネジ軸６Ｂ側に位置する先端面の最大径が取付け孔８の内径よりも大径となるように、その先端側ほど大径となるテーパー状の嵌合部６Ｃが一体形成されているとともに、雄ネジ部材６の当り部６Ａの円周方向複数箇所には、靴底１の取付け孔８の開口周縁部分に対してネジ軸芯Ｚ方向から突刺し可能な回り止め突起６Ｄが突出形成され、更に、各回り止め突起６Ｄには、ネジ軸芯Ｚ方向に対して交差方向に突出する抜止め部６Ｅが形成されている。
【００２５】
前記回り止め突起６Ｄが、当り部６Ａの打出し形成によって中空状の円錐形状に形成されているとともに、それの打出し形成に伴う先端側での破断によって抜止め部６Ｅが形成されている。
【００２６】
前記雌ネジ部材７は、環状の押え面７ａを形成する筒状の回転操作部７Ｂに、靴底１の取付け孔８に嵌入する筒状の嵌合部７Ｃが一体形成され、そのうち、回転操作部７Ｂの外周面（回転操作面）の輪郭形状が、ネジ軸芯Ｚ方向視において六角形以外の多角形の一例である奇数の五角形に形成されているとともに、靴底１の取付け孔８に内面１ａ側から装着された雄ネジ部材６のネジ軸６Ｂに対して、靴底１の取付け孔８に踏付け面１ｂ側から装着された雌ネジ部材７のネジ孔７Ａを最大締付け位置にまで螺合操作したとき、雄ネジ部材６のテーパー状嵌合部６Ｃの先端面と雌ネジ部材７の嵌合部７Ｃの先端面との対向面間に空隙Ｓが形成されている、換言すれば、テーパー状嵌合部６Ｃの先端面と嵌合部７Ｃの先端面とが非接触状態に構成されている。
【００２７】
そして、靴底１の取付け孔８に内面１ａ側から装着された雄ネジ部材６のネジ軸６Ｂに対して、靴底１の取付け孔８に踏付け面１ｂ側から装着された雌ネジ部材７のネジ孔７Ａを締付け側に螺合操作すると、その締付け操作に連れて、雄ネジ部材６の当り部６Ａと雌ネジ部材７の押え部７ａとの間で、スパイクＢを介して靴底１が挾持固定されるから、挾持状態においても、装着者の荷重が加わっている雄ネジ部材６及び雌ネジ部材７に対して、スパイクＢが靴底１を圧縮する側に相対移動することが可能となり、スパイクＢに加わる衝撃力を靴底１の弾性力で緩衝することができる。
【００２８】
しかも、靴底１の弾性復元力が螺合された両ネジ部材６，７に引張力として作用するとともに、両ネジ部材６，７の螺合操作に連れて、雌ネジ部材７に形成された嵌合部７Ｃが靴底１の取付け孔８に嵌入して、この嵌合部７Ｃの外周面と取付け孔８の内周面との間で摩擦力が発生するため、螺合された両ネジ部材６，７の弛み側への相対回動を抑制することができる。
【００２９】
それ故に、靴底１の緩衝機能を有効利用して、スパイクＢに加わる衝撃力が突き上げ感として装着者の足裏に伝播されることを抑制することができるとともに、靴底１の弾性復元力及び靴底１との間での摩擦力を利用して、両ネジ部材６，７の弛みを効果的に抑制することができ、締め直し操作に要する手間を削減することができる。
【００３０】
〔第２実施形態〕
上述の第１実施形態では、雄ネジ部材６の当り部６Ａの円周方向複数箇所に、靴底１の取付け孔８の開口周縁部分に対してネジ軸芯Ｚ方向から突刺し可能な回り止め突起６Ｄを突出形成して、靴底１の取付け孔８に内面１ａ側から装着される雄ネジ部材６のネジ軸６Ｂに対して、靴底１の取付け孔８に踏付け面１ｂ側から装着される雌ネジ部材７のネジ孔７Ａを締付け側に螺合操作する際、その締付け操作に連れて雄ネジ部材６が供回りすることを防止するように構成したが、回り止め突起６Ｄによる回り止め機能が低下又は喪失する可能性を考慮して、図8 、図9 に示すように、前記雄ネジ部材６の当り部６Ａのネジ軸芯Ｚ相当箇所には、靴底１の内面１ａ側から六角レンチ等の工具で回り止め操作可能な操作凹部６Ｆを形成してもよい。
【００３１】
尚、その他の構成は、第１実施形態で説明した構成と同一であるから、同一の構成箇所には、第１実施形態と同一の番号を付記してそれの説明は省略する。
【００３２】
〔その他の実施形態〕
（１）上述の各実施形態では、靴底１の取付け孔８に嵌入する雌ネジ部材７の嵌合部７Ｃを筒状（円筒状）に構成したが、この嵌合部７Ｃとしては、周方向で断続して存在するものや周方向の一部の特定箇所にだけ存在するものであってもよい。
【００３３】
（２）上述の各実施形態では、全ての回り止め突起６Ｄに、ネジ軸芯方向に対して交差方向に突出する抜止め部６Ｅを形成したが、この抜止め部６Ｅを一部の回り止め突起６Ｄにだけ形成してもよい。
【００３４】
（３）上述の各実施形態では、回り止め突起６Ｄの打出し形成に伴う先端側での破断によって抜止め部６Ｅを形成したが、回り止め突起６Ｄと抜止め部６Ｅとを中実状態で一体形成してもよい。
【００３５】
（４）上述の各実施形態では、雌ネジ部材７に、雄ネジ部材６のネジ軸６Ｂに螺合自在なネジ孔７Ａを貫通形成したが、このネジ孔７Ａの一端側が閉塞されていてもよい。
【００３６】
（５）上述の各実施形態では、雄ネジ部材６の当り部６Ａとネジ軸６Ｂとの間に、靴底１の取付け孔８に対して内面１ａ側からネジ軸芯方向に沿って嵌合可能なテーパー状の嵌合部６Ｃを一体形成したが、この嵌合部６Ｃを、靴底１の取付け孔８に嵌合可能な状態でネジ軸芯Ｚ方向の全域で同径に構成して実施してもよく、更に、当り部６Ａとネジ軸６Ｂとを直接一体形成して実施してもよい。
【００３７】
（６）上述の各実施形態では、運動靴Ａとして野球用スパイクシューズを例に挙げて説明したが、本発明の技術は、サッカー用スパイクシューズや陸上用スパイクシューズ等の他の運動靴Ａにも適用することができる。
【００３８】
（７）上述の各実施形態では、前記雌ネジ部材7 の回転操作部７Ｂにおける外周面（回転操作面）の輪郭形状を、ネジ軸芯Ｚ方向視において五角形に形成したが、三角形や四角形など、他の六角形以外の多角形に形成してもよく、更に、多角形以外の楕円等の異径形状に形成してもよい。
【図面の簡単な説明】
【図１】本発明の第１実施形態を示す野球用スパイクシューズ全体の縦断側面図
【図２】野球用スパイクシューズ全体の底面図
【図３】スパイク取付け前の要部の分解断面図
【図４】スパイク取付け後の要部の断面図
【図５】雄ネジ部材の拡大正面図
【図６】雄ネジ部材の回り止め突起の拡大断面図
【図７】雄ネジ部材と雌ネジ部材との分解状態の一部破断側面図
【図８】本発明の第2 実施形態を示すスパイク取付け後の要部の断面図
【図９】雄ネジ部材の拡大平面図
【図１０】従来の運動靴のスパイク取付け構造を示す断面図
【符号の説明】
Ｂ        スパイク
１        靴底
１ａ      内面
１ｂ      外面（踏付け面）
６        雄ネジ部材
６Ａ      当り部
６Ｂ      ネジ軸
６Ｃ      嵌合部
６Ｄ      回り止め突起
６Ｅ      抜止め部
６Ｆ      操作凹部
７        雌ネジ部材
７Ａ      ネジ孔
７Ｃ      嵌合部
７ａ      押え部（押え面）
【図１】
0003746465.tif 000002
【図２】
0003746465.tif 000003
【図３】
0003746465.tif 000004
【図４】
0003746465.tif 000005
【図５】
0003746465.tif 000006
【図６】
0003746465.tif 000007
【図７】
0003746465.tif 000008
【図８】
0003746465.tif 000009
【図９】
0003746465.tif 000010
【図１０】
0003746465.tif 000011